(57)【要約】【課題】アナログ電話とＩＰ電話の双方の機能をもつ通信端末装置を提供する。【解決手段】本発明による通信端末装置では、発信先のアナログ電話番号を入力し（Ｓ３０）、対応するＩＰ電話番号を記憶していない場合であっても（Ｓ３２のＮ）、ＩＰネットワーク上の管理サーバに番号を問い合わせることにより（Ｓ３４）、ＩＰ電話番号を取得することができる（Ｓ４０のＹ）。取得した場合には、そのＩＰ電話番号を用いて発信する（Ｓ４４）。このように、相手方のＩＰ電話番号をする知らない場合であっても、管理サーバからＩＰ電話番号を取得することにより、低料金のＩＰ電話を簡易に使用することができる。【選択図】        図５
2004289678.tif 000002
【特許請求の範囲】
【請求項１】
アナログ電話とＩＰ電話の双方の機能をもつ通信端末装置であって、
発信先のアナログ電話番号を入力する番号入力部と、
前記アナログ電話番号に対応するＩＰ電話番号を取得する取得部と、
前記取得部において取得したＩＰ電話番号を用いて発信する発信部と、を備えることを特徴とする通信端末装置。
【請求項２】
アナログ電話とＩＰ電話の双方の機能をもつ通信端末装置であって、
発信先のアナログ電話番号を入力する番号入力部と、
入力されたアナログ電話番号に対応するＩＰ電話番号を有するか否かをＩＰネットワーク上のサーバに問い合わせる照会部と、
前記サーバにおいて対応するＩＰ電話番号を保持する場合に、前記サーバからＩＰ電話番号を取得する取得部と、
前記取得部において取得したＩＰ電話番号を用いて発信する発信部と、を備えることを特徴とする通信端末装置。
【請求項３】
アナログ電話番号とＩＰ電話番号とを対応付けたリストを記憶する格納部をさらに備え、
前記照会部は、前記サーバへの問い合わせの前に、前記格納部のリストに、発信先のアナログ電話番号に対応するＩＰ電話番号が記録されているか否かを判断し、記録されていない場合にサーバへの問い合わせを行うことを特徴とする請求項２に記載の通信端末装置。
【請求項４】
前記格納部のリストに、対応するＩＰ電話番号が記録されている場合に、前記取得部は、前記格納部からＩＰ電話番号を取得することを特徴とする請求項３に記載の通信端末装置。
【請求項５】
アナログ電話とＩＰ電話の双方の機能をもつ通信端末装置であって、
自身以外の通信端末装置のアナログ電話番号とＩＰ電話番号とを対応付けたリストを記憶する格納部と、
ＩＰネットワーク上に位置する他の通信端末装置に対してリストの照会を要求する照会部と、
自身が記憶していないアナログ電話番号とＩＰ電話番号の対応を他の通信端末装置が保持する場合に、当該他の通信端末装置から、その対応を取得する取得部と、
前記取得部において取得された対応を、前記格納部のリストに記録する書込制御部と、を備えることを特徴とする通信端末装置。
【請求項６】
アナログ電話とＩＰ電話の双方の機能をもつ通信端末装置であって、
発信先のアナログ電話番号を入力する番号入力部と、
入力されたアナログ電話番号を用いて発信する発信部と、
アナログ電話を使用するための回線を接続した後、発信先の通信端末装置からＩＰ電話番号を取得する取得部と、を備えることを特徴とする通信端末装置。
【請求項７】
前記取得部がＩＰ電話番号を取得した後、アナログ電話用の回線の接続を、ＩＰ電話用の回線の接続に切り替える回線設定部をさらに備えることを特徴とする請求項６に記載の通信端末装置。
【請求項８】
前記回線設定部は、アナログ電話用の回線の接続を維持したまま、ＩＰ電話用の回線の接続を行い、その後、アナログ電話用の回線の接続を切断することを特徴とする請求項７に記載の通信端末装置。
【請求項９】
アナログ電話とＩＰ電話の双方の機能をもつ通信端末装置であって、いずれか一方の電話用の回線を接続した後、接続した回線を切り替える場合に、他方の電話用の回線が接続するのを待って、一方の電話用の回線の接続を切断することを特徴とする通信端末装置。
【請求項１０】
アナログ電話用の回線の接続をＩＰ電話用の回線の接続に切り替える時間は、ＩＰ電話用の回線の接続をアナログ電話用の回線の接続に切り替える時間よりも短いことを特徴とする請求項９に記載の通信端末装置。
【発明の詳細な説明】
【０００１】
【発明の属する技術分野】
本発明は通信技術に関し、とくにアナログ電話とＩＰ電話の双方の機能をもつ通信端末装置に関する。
【０００２】
【従来の技術】
インターネットが広く普及し、ネットワークのインフラの整備も進みつつある現在、通話音声信号を符号化したデータをパケット化し、インターネットなどのネットワークを介して送受信するＩＰ（Ｉｎｔｅｒｎｅｔ  Ｐｒｏｔｏｃｏｌ）電話装置が注目を集めている。通話音声と同時にビデオ映像を送ることにより、ビデオ電話装置として利用することも可能であり、従来のアナログ電話装置に取って代わる次世代の電話装置として期待されている。このＩＰ電話は、一般にインターネット電話と呼ばれることもある。例えば、ＩＰ電話装置に関する技術として、ダイアルアップ接続時に、ＶｏＩＰ（Ｖｏｉｃｅ  ｏｖｅｒ  ＩＰ）通話可否情報をもとに、回線交換による通話とＶｏＩＰ通話を選択する通話方式を提案するものがある（特許文献１参照。）。
【０００３】
【特許文献１】
特開２００１−２５１４４０号公報
【０００４】
【発明が解決しようとする課題】
アナログ電話を利用した長距離電話や国際電話なども近時安くなっているとはいえ、ＩＰ電話を使用してＩＰネットワーク経由で通話することができれば、コスト面での削減は比較にならないほど大きい。近年では、安価にインターネットに常時接続できる環境も整いつつあり、そのため、ＩＰ電話の普及が一層促進されることが予想される。一方で、コスト的なメリットを最大限享受するためには、話者同士がＩＰ電話で通話することが必要と考えられるが、相手方がＩＰ電話に加入していることを知らなければ、また加入していることを知っていてもＩＰ電話番号を知らなければ、相手方のＩＰ電話に発信することはできないという現状がある。
【０００５】
本発明は、そうした課題に鑑みてなされたものであり、その目的は、アナログ電話とＩＰ電話の双方の機能をもつ通信端末装置が効率よくＩＰ電話を活用できる技術を提供することにある。また本発明の別の目的は、アナログ電話とＩＰ電話の双方の機能をもつ通信端末装置がアナログ電話とＩＰ電話を選択的に効率よく活用できる技術を提供することにある。
【０００６】
【課題を解決するための手段】
上記課題を解決するために、本発明のある態様は、アナログ電話とＩＰ電話の双方の機能をもつ通信端末装置に関する。この態様の通信端末装置は、発信先のアナログ電話番号を入力する番号入力部と、アナログ電話番号に対応するＩＰ電話番号を取得する取得部と、取得部において取得したＩＰ電話番号を用いて発信する発信部とを備える。この態様の通信端末装置によると、ユーザが発信先のＩＰ電話番号を認識していない場合であっても、アナログ電話番号を入力することによりＩＰ電話番号を取得することができ、低料金のＩＰ電話を簡易に利用することが可能となる。
【０００７】
本発明の別の態様は、アナログ電話とＩＰ電話の双方の機能をもつ通信端末装置に関する。この態様の通信端末装置は、発信先のアナログ電話番号を入力する番号入力部と、入力されたアナログ電話番号に対応するＩＰ電話番号を有するか否かをＩＰネットワーク上のサーバに問い合わせる照会部と、サーバにおいて対応するＩＰ電話番号を保持する場合に、サーバからＩＰ電話番号を取得する取得部と、取得部において取得したＩＰ電話番号を用いて発信する発信部とを備える。この態様の通信端末装置によると、ユーザが発信先のＩＰ電話番号を認識していない場合であっても、アナログ電話番号を入力することによりＩＰ電話番号をＩＰネットワーク上のサーバから取得することができ、低料金のＩＰ電話を簡易に利用することが可能となる。
【０００８】
この態様の通信端末装置は、アナログ電話番号とＩＰ電話番号とを対応付けたリストを記憶する格納部をさらに備えてもよく、照会部は、サーバへの問い合わせの前に、格納部のリストに、発信先のアナログ電話番号に対応するＩＰ電話番号が記録されているか否かを判断し、記録されていない場合にサーバへの問い合わせを行ってもよい。一方、格納部のリストに、対応するＩＰ電話番号が記録されている場合に、取得部は、格納部からＩＰ電話番号を取得してもよい。
【０００９】
本発明のさらに別の態様は、アナログ電話とＩＰ電話の双方の機能をもつ通信端末装置に関する。この態様の通信端末装置は、自身以外の通信端末装置のアナログ電話番号とＩＰ電話番号とを対応付けたリストを記憶する格納部と、ＩＰネットワーク上に位置する他の通信端末装置に対してリストの照会を要求する照会部と、自身が記憶していないアナログ電話番号とＩＰ電話番号の対応を他の通信端末装置が保持する場合に、当該他の通信端末装置から、その対応を取得する取得部と、取得部において取得された対応を、格納部のリストに記録する書込制御部とを備える。この態様の通信端末装置によると、ＩＰネットワーク上に位置する通信端末装置間でリストの同期をとることができ、リストの更新を簡易に実現することが可能となる。
【００１０】
本発明のさらに別の態様は、アナログ電話とＩＰ電話の双方の機能をもつ通信端末装置に関する。この態様の通信端末装置は、発信先のアナログ電話番号を入力する番号入力部と、入力されたアナログ電話番号を用いて発信する発信部と、アナログ電話を使用するための回線を接続した後、発信先の通信端末装置からＩＰ電話番号を取得する取得部とを備える。この態様の通信端末装置によると、アナログ電話の使用中にＩＰ電話番号を取得することができ、アナログ電話番号とＩＰ電話番号とを対応付けたリストを作成することが可能となる。
【００１１】
この態様の通信端末装置は、取得部がＩＰ電話番号を取得した後、アナログ電話用の回線の接続を、ＩＰ電話用の回線の接続に切り替える回線設定部をさらに備えてもよい。回線設定部は、アナログ電話用の回線の接続を維持したまま、ＩＰ電話用の回線の接続を行い、その後、アナログ電話用の回線の接続を切断するのが好ましい。
【００１２】
本発明のさらに別の態様は、アナログ電話とＩＰ電話の双方の機能をもつ通信端末装置に関する。この態様の通信端末装置は、いずれか一方の電話用の回線を接続した後、接続した回線を切り替える場合に、他方の電話用の回線が接続するのを待って、一方の電話用の回線の接続を切断する。一時的に２つの回線を同時接続させることにより、回線の切断時にユーザに不快な音切れの生じる可能性を低減することが可能となる。アナログ電話用の回線の接続をＩＰ電話用の回線の接続に切り替える時間は、ＩＰ電話用の回線の接続をアナログ電話用の回線の接続に切り替える時間よりも短いことが好ましい。
【００１３】
なお、以上の構成要素の任意の組合せ、本発明の表現を方法、装置、システム、などの間で変換したものもまた、本発明の態様として有効である。
【００１４】
【発明の実施の形態】
＜第１の実施の形態＞
図１は、本発明の実施の形態に係る通話システム１の全体構成を示す。通話システム１において、複数の通信端末装置１０ａおよび１０ｂ（以下、総称する場合は「通信端末装置１０」と呼ぶ）が、それぞれアナログ回線網１４およびＩＰネットワーク１６とに接続される。通信端末装置１０は、アナログ電話とＩＰ電話の双方の機能を有し、自身のアナログ電話番号とＩＰ電話番号とを保持している。
【００１５】
アナログ回線網１４は例えば公衆交換電話網などの加入電話回線ネットワークであってよく、末端にアナログ電話装置をつないで、回線交換方式で交換機１２ａおよび１２ｂを介して相手に接続することにより、音声通話を実現することができる。一方、ＩＰネットワーク１６は、インターネットやイントラネットなどのインターネットプロトコル上で通信を可能とするネットワークであり、末端にＩＰ電話装置をつないで、ルータを介して相手に接続することにより、音声通話を実現することができる。したがって、通信端末装置１０は、アナログ回線網１４およびＩＰネットワーク１６に接続することにより、アナログ電話とＩＰ電話の双方を利用することができる。ＩＰネットワーク１６には、通信などを管理する管理サーバ２０が接続される。
【００１６】
なお実施の形態では、アナログ電話用の回線としてアナログ回線網１４を例に示すが、これに限定するものではなく、要はアナログ電話を使用するための回線であればよい。したがって別の例では、アナログ回線網１４の代わりに、ＩＳＤＮなどのデジタル回線網であってもよく、その場合には、通信端末装置１０がターミナルアダプタなどを介してデジタル回線網に接続することにより、アナログ電話の機能を実現することになる。また、図示のごとく、アナログ回線網１４とＩＰネットワーク１６とはゲートウェイ１８を介して接続されてもよい。
【００１７】
実施の形態において通信端末装置１０は、複数の機器から構成されてもよい。例えば、アナログ電話機とＩＰ電話機とが端末接続装置に接続し、端末接続装置が、アナログ回線網１４およびＩＰネットワーク１６に接続した構成をとってもよい。しかしながらユーザの利便性に配慮すると、通信端末装置１０は、アナログ電話およびＩＰ電話の機能を一体にした機器として構成されることが好ましい。その形態には様々なものが考えられるが、例えば、アナログ電話装置がＩＰ電話機能を持つようにしてもよいし、また、ＰＣ（パーソナルコンピュータ）がアナログ電話機能とＩＰ電話機能の双方を持つようにしてもよい。以下では、通信端末装置１０が一つの機器として構成される場合を例にとる。
【００１８】
図２は、本発明の通信端末装置１０の構成を示す。通信端末装置１０は、入力インタフェース部３０、番号取得部３６、読出制御部３８、書込制御部４０、格納部４２、登録部４４、照会部４６、アナログ回線網インタフェース部４８、回線設定部５０およびＩＰネットワークインタフェース部５２を備える。入力インタフェース部３０は、ユーザからの操作入力を受け付けるボタンなどであってよく、電話番号を入力するための番号入力部３２およびユーザからの要求を受け付けるための要求受付部３４を有する。なお図示しないが、通信端末装置１０は受話器を構成するマイクやスピーカを有し、また、アナログ電話およびＩＰ電話として機能するために必要な構成を有している。
【００１９】
図３は、格納部４２に記憶されるアナログ電話番号とＩＰ電話番号とを対応付けたリストを示す。このリストは、図示のごとく、通信端末装置１０以外の通信端末装置、すなわち発信先となる通信端末装置１０のアナログ電話番号とＩＰ電話番号とを対応付けて記録したものである。このリストには、アナログ電話とＩＰ電話の双方の機能をもつ自身以外の通信端末装置１０の電話番号の対応関係が含められ、一方の通話機能しかもたない通信端末装置については、このリストに含められない。このリストは、ユーザにより作成されてもよく、また、以下の実施の形態で示すように、通信端末装置１０の処理により作成されてもよい。
【００２０】
第１の実施の形態では、ユーザが通信端末装置１０にアナログ電話番号を入力すると、ＩＰネットワーク１６上の管理サーバ２０に対応するＩＰ電話番号を有するか否かを問い合わせ、管理サーバが保持する場合に、そのＩＰ電話番号を取得してＩＰ電話で発信する。管理サーバ２０は、予め複数の通信端末装置におけるアナログ電話番号とＩＰ電話番号とを対応付けたリストを保持しておく。このリストは、例えば図３に示したようなものである。これにより、ユーザが通話先のアナログ電話番号しか認識していない場合であっても、ＩＰ電話で通話することができ、電話料金を安くすることが可能となる。なお、通信端末装置１０の格納部４２のリストに対応する電話番号が保持されている場合には、そのＩＰ電話番号を取得してＩＰ電話で発信する。
【００２１】
図４は、第１の実施の形態における管理サーバ２０によるリストの作成処理、言い換えると通信端末装置１０が自身のアナログ電話番号とＩＰ電話番号の対応を管理サーバ２０に登録する処理のシーケンス図を示す。アナログ電話番号とＩＰ電話番号の対応の登録は、ＩＰネットワーク１６を介して行われる。
【００２２】
通信端末装置１０がＩＰネットワーク１６に接続する（Ｓ１０）。常時接続の場合には、通信端末装置１０は常にＩＰネットワーク１６に接続されている状態にある。ユーザが要求受付部３４から、アナログ電話番号とＩＰ電話番号の対応の登録要求を入力する。登録部４４は、その登録要求を要求受付部３４から受け取り、ＩＰネットワークインタフェース部５２を介して管理サーバ２０に送信する（Ｓ１２）。管理サーバ２０が、登録を受け入れる旨の応答を返信すると（Ｓ１４）、ＩＰネットワークインタフェース部５２は、通信端末装置１０のアナログ電話番号とＩＰ電話番号とを管理サーバ２０に送信する（Ｓ１６）。管理サーバ２０は、アナログ電話番号とＩＰ電話番号とを対応付けたリストを作成してデータベースに登録し（Ｓ１８）、登録終了の旨を通信端末装置１０に通知する（２０）。
【００２３】
なお、登録に際しては、上記のようにユーザからの登録要求を契機として管理サーバ２０における登録手続きが実行されてもよいが、通信端末装置１０をＩＰネットワーク１６に接続した時点で自動的に登録手続きが行われるようにしてもよい。いずれにしても、管理サーバ２０は、ＩＰネットワーク１６に接続した通信端末装置１０のアナログ電話番号とＩＰ電話番号との対応を示すリストを保有する。なお、管理サーバ２０は、多くのユーザがＩＰ電話を使用することができるように、別個に存在するＩＰネットワーク上のサーバと通信してリストを照会しあい、リストを追加していってもよい。
【００２４】
図５は、第１の実施の形態における回線接続処理のシーケンス図を示す。まず、通信端末装置１０において、ユーザが番号入力部３２からアナログ電話番号を入力する（Ｓ３０）。番号取得部３６は、番号入力部３２からアナログ電話番号を受け取り、格納部４２に、対応するＩＰ電話番号が記憶されているか否かを調べる（Ｓ３２）。具体的には、読出制御部３８が番号取得部３６からの検索指示をもとに、格納部４２に記憶されているアナログ電話番号とＩＰ電話番号とを対応付けたリストを検索する。リストの中に、入力されたアナログ電話番号に対応するＩＰ電話番号が存在する場合には（Ｓ３２のＹ）、読出制御部３８がＩＰ電話番号を読み出し、番号取得部３６に伝達する。番号取得部３６は回線設定部５０を介してＩＰ電話番号をＩＰネットワークインタフェース部５２に伝達し、ＩＰネットワークインタフェース部５２がＩＰ電話番号を用いて発信する（Ｓ４４）。
【００２５】
一方、格納部４２において、対応するＩＰ電話番号が記憶されていない場合には（Ｓ３２のＮ）、番号取得部３６が、照会部４６にその旨を通知する。照会部４６は、ＩＰネットワークインタフェース部５２を介して、入力されたアナログ電話番号に対応するＩＰ電話番号を有するか否かをＩＰネットワーク１６上の管理サーバ２０に問い合わせる（Ｓ３４）。管理サーバ２０は、自身のデータベース内を検索して、アナログ電話番号に対応するＩＰ電話番号の有無を調べる（Ｓ３６）。対応するＩＰ電話番号が存在する場合には、そのＩＰ電話番号を通信端末装置１０に送信する（Ｓ３８）。ＩＰ電話番号は、ＩＰネットワークインタフェース部５２を介して番号取得部３６に送られる。
【００２６】
番号取得部３６がＩＰ電話番号を取得した場合（Ｓ４０のＹ）、書込制御部４０が、アナログ電話番号とＩＰ電話番号の対応を格納部４２のリストに記録する（Ｓ４２）。また、番号取得部３６は回線設定部５０を介してＩＰ電話番号をＩＰネットワークインタフェース部５２に伝達し、ＩＰネットワークインタフェース部５２がＩＰ電話番号を用いて発信する（Ｓ４４）。一方、管理サーバ２０からＩＰ電話番号を取得できない場合には（Ｓ４０のＮ）、番号取得部３６が、番号入力部３２に入力されたアナログ電話信号を、回線設定部５０を介してアナログ回線網インタフェース部４８に伝達し、アナログ回線網インタフェース部４８がアナログ電話番号を用いて発信する（Ｓ４６）。Ｓ４４およびＳ４６における発信処理を経て、通話回線が接続される（Ｓ４８）。
【００２７】
以上によると、ユーザがＩＰ電話番号を認識していなくても、通信端末装置１０でＩＰ電話番号を管理サーバ２０から取得して発信することができる。また、管理サーバ２０から取得したＩＰ電話番号とアナログ電話番号との対応が格納部４２のリストに記録されるため、次に同一の発信先にＩＰ電話で通話したい場合に、ユーザはアナログ電話番号を入力すれば、格納部４２のリストからＩＰ電話番号を自動で取得できることになり、短時間でＩＰ電話を利用することが可能となる。
【００２８】
＜第２の実施の形態＞
第２の実施の形態では、アナログ電話番号とＩＰ電話番号の対応を表現したリストを通信端末装置１０のデータベースに記憶する。第１の実施の形態では、発信時に管理サーバ２０から取得した対応をデータベースに記憶する例について説明したが、第２の実施の形態では、発信時以外のタイミングでデータベースを作成することを意図する。管理サーバ２０のデータベースにアクセスして自前のデータベースを更新していくことも可能であるが、ＩＰネットワーク１６上の複数の通信端末装置からのアクセスが管理サーバ２０に集中することを防止するため、第２の実施の形態では、ＩＰネットワーク１６上の他の通信端末装置のデータベースと同期をとることにより、自前のデータベースを作成する。
【００２９】
図６は、第２の実施の形態における通信端末装置１０のデータベースの作成処理のシーケンス図を示す。図６では、通信端末装置１０ａと通信端末装置１０ｂとの間でデータベースの同期処理を行う例を示す。まず、通信端末装置１０ａのＩＰネットワークインタフェース部５２が、ＩＰネットワーク１６に他の通信端末装置を探索するための探索信号をブロードキャストする（Ｓ６０）。他の通信端末装置の応答がなければ（Ｓ６２のＮ）、Ｓ６０の探索処理を続行する。この探索処理は、定期的に行ってもよいし、電話を使用しない時間帯、例えば電話があまり利用されない夜中から早朝にかけての時間帯に行ってもよい。他の通信端末装置１０ｂからの応答があった場合、すなわちＩＰネットワーク１６に接続している他の通信端末装置１０ｂが存在している場合（Ｓ６２のＹ）、通信端末装置１０ａの照会部４６は、ＩＰネットワークインタフェース部５２を介して、通信端末装置１０ｂに対してリスト照会要求を送信する（Ｓ６４）。通信端末装置１０ｂは、リスト照会要求を受けて、要求を受け入れる旨を示す応答を送信する（Ｓ６６）。
【００３０】
続いて、通信端末装置１０ａと通信端末装置１０ｂは、データベースの同期処理を実行する（Ｓ６８）。この同期処理は、互いのリストを送信しあってもよく、また互いに保有していない対応関係のみを送信しあってもよい。いずれにしても、通信端末装置１０ａの番号取得部３６は、自身が記憶していないアナログ電話番号とＩＰ電話番号の対応を他の通信端末装置１０ｂが保持する場合に、通信端末装置１０ｂから、その対応を取得する。通信端末装置１０ｂについても同様に、通信端末装置１０ａから、自身が保持していない対応を取得する。通信端末装置１０ａにおいて、番号取得部３６は、取得した対応を書込制御部４０に伝達し、書込制御部４０が、この対応を格納部４２のリストに記録し、リストを更新する（Ｓ７０）。通信端末装置１０ｂにおいても同様にリストが更新される（Ｓ７２）。
【００３１】
以上のように、通信端末装置１０は、例えば同一のインターネットプロバイダに接続している他の通信端末装置との間で、アナログ電話番号とＩＰ電話番号の対応を記録したリストを交換し合い、自前のリストを更新していくことが可能となる。このリストはアナログ電話番号からＩＰ電話番号への変換テーブルとして利用できるため、ユーザはアナログ電話番号さえ把握していれば、相手方にＩＰ電話にて通話することが可能となる。
【００３２】
図７は、第２の実施の形態における回線接続処理のフローチャートを示す。まずユーザが番号入力部３２からアナログ電話番号を入力する（Ｓ８０）。番号取得部３６は、番号入力部３２からアナログ電話番号を受け取り、格納部４２に、対応するＩＰ電話番号が記憶されているか否かを調べる（Ｓ８２）。具体的には、読出制御部３８が番号取得部３６からの検索指示をもとに、格納部４２に記憶されているアナログ電話番号とＩＰ電話番号とを対応付けたリストを検索する。リストの中に、入力されたアナログ電話番号に対応するＩＰ電話番号が存在する場合には（Ｓ８２のＹ）、読出制御部３８がＩＰ電話番号を読み出し、番号取得部３６に伝達する。番号取得部３６は回線設定部５０を介してＩＰ電話番号をＩＰネットワークインタフェース部５２に伝達し、ＩＰネットワークインタフェース部５２がＩＰ電話番号を用いて発信する（Ｓ８４）。
【００３３】
一方、格納部４２において、対応するＩＰ電話番号が記憶されていない場合には（Ｓ８２のＮ）、番号取得部３６が、番号入力部３２に入力されたアナログ電話信号を、回線設定部５０を介してアナログ回線網インタフェース部４８に伝達し、アナログ回線網インタフェース部４８がアナログ電話番号を用いて発信する（Ｓ８６）。Ｓ８４およびＳ８６における発信処理を経て、通話回線が接続される（Ｓ８８）。これにより、通話可能な状態となり（Ｓ９０）、通話が終了すると回線を切断する（Ｓ９２）。
【００３４】
＜第３の実施の形態＞
第３の実施の形態では、ピアツーピア方式による回線接続処理を示し、具体的には通信端末装置１０同士で連携をとり、アナログ電話用の回線を接続した後、着信側の通信端末装置１０がＩＰ電話番号を発信元の通信端末装置１０に送信する。送信されたＩＰ電話番号は、発信元の通信端末装置１０において格納部４２に記憶され、次回以降の通話時に利用されてもよく、また、一旦アナログ電話用の回線を切断して、再度ＩＰ電話用の回線を接続しなおしてもよい。さらに、ＩＰ電話番号を受けとった発信元の通信端末装置１０は、通話を維持しながらＩＰ電話用の回線に切り替えてもよい。以下では、通話を維持しつつ回線を切り替える処理を示す。
【００３５】
図８は、第３の実施の形態における回線接続処理のシーケンス図を示す。図８では、通信端末装置１０ａと通信端末装置１０ｂとの間で回線接続を行う例を示す。まず、通信端末装置１０ａにおいて、ユーザが番号入力部３２からアナログ電話番号を入力する（Ｓ１００）。番号取得部３６は、番号入力部３２からアナログ電話番号を受け取り、格納部４２に、対応するＩＰ電話番号が記憶されているか否かを調べる（Ｓ１０２）。具体的には、読出制御部３８が番号取得部３６からの検索指示をもとに、格納部４２に記憶されているアナログ電話番号とＩＰ電話番号とを対応付けたリストを検索する。リストの中に、入力されたアナログ電話番号に対応するＩＰ電話番号が存在する場合には（Ｓ１０２のＹ）、読出制御部３８がＩＰ電話番号を読み出し、番号取得部３６に伝達する。番号取得部３６は回線設定部５０を介してＩＰ電話番号をＩＰネットワークインタフェース部５２に伝達し、ＩＰネットワークインタフェース部５２がＩＰ電話番号を用いて発信する（Ｓ１０４）。
【００３６】
一方、格納部４２において、対応するＩＰ電話番号が記憶されていない場合には（Ｓ１０２のＮ）、番号取得部３６が、番号入力部３２に入力されたアナログ電話信号を、回線設定部５０を介してアナログ回線網インタフェース部４８に伝達し、アナログ回線網インタフェース部４８がアナログ電話番号を用いて発信する（Ｓ１０６）。通信端末装置１０ｂは発信を受け付け（Ｓ１０８）、これにより、通信端末装置１０ａと通信端末装置１０ｂとの間でアナログ電話用の回線の接続が確立される（Ｓ１１０）。したがって、通信端末装置１０ａおよび通信端末装置１０ｂでは、アナログ電話による通話が行われている。
【００３７】
アナログ電話用回線の接続後、通信端末装置１０ａの照会部４６が、ＩＰネットワークインタフェース部５２を介して、ＩＰネットワーク１６から通信端末装置１０ｂにＩＰ電話番号を要求する（Ｓ１１２）。通信端末装置１０ｂがＩＰ電話に加入していない場合や、ＩＰ電話番号を伝えたくない場合には、通信端末装置１０ｂは、ＩＰ電話番号の要求を無視する。通信端末装置１０ｂがＩＰ電話番号を通信端末装置１０ａに伝えてもよい場合は、通信端末装置１０ｂからＩＰ電話番号がＩＰネットワーク１６を介して伝達される（Ｓ１１４）。
【００３８】
ＩＰ電話番号は、通信端末装置１０ａのＩＰネットワークインタフェース部５２を介して番号取得部３６に送られる。番号取得部３６はＩＰ電話番号を取得し（Ｓ１１６）、書込制御部４０が、アナログ電話番号とＩＰ電話番号の対応を格納部４２のリストに記録する（Ｓ１１８）。通信端末装置１０ａでは、図示しない表示部に、着信側の通信端末装置１０ｂがＩＰ電話を使用可能であることを表示する（Ｓ１２０）。この表示により、ユーザは、ＩＰ電話に切り替えられることを認識する。ユーザが要求受付部３４から回線の切替を指示すると（Ｓ１２２）、その切替指示は回線設定部５０に伝達される。なお、図８の例では、ユーザからの切替指示を契機として回線の切替を行うこととするが、着信側の通信端末装置１０ｂからＩＰ電話番号の通知があった時点で、自動的に切替作業を行ってもよい。
【００３９】
回線設定部５０は切替指示を受けて、番号取得部３６または格納部４２からＩＰ電話番号を受け取り、ＩＰネットワークインタフェース部５２に伝達する。ＩＰネットワークインタフェース部５２はＩＰ電話番号を用いて発信する（Ｓ１２４）。
【００４０】
以上のステップにより、通信端末装置１０ａと通信端末装置１０ｂとの間でＩＰ電話用の回線が接続される（Ｓ１２６）。このとき、アナログ電話用の回線は接続された状態を維持し、通信端末装置１０ａと通信端末装置１０ｂとの間では、アナログ電話による通話が引き続き行われている。このように、一時的にアナログ電話用の回線とＩＰ電話用の回線とを同時に接続状態にすることにより、回線切断に伴う不快な無音期間を避けることが可能となる。その後、アナログ電話用の回線を切断し（Ｓ１２８）、低料金のＩＰ電話での通話が可能となる。以上の処理により、通信端末装置１０ａは、発信先の通信端末装置１０ｂとの間でＩＰ電話番号を直接受け取ることができ、リストを更新することができる。
【００４１】
以上、本発明を複数の実施の形態をもとに説明した。この実施の形態は例示であり、それらの各構成要素や各処理プロセスの組合せにいろいろな変形が可能なこと、またそうした変形例も本発明の範囲にあることは当業者に理解されるところである。
【００４２】
ＩＰ電話の音質はＩＰネットワーク１６の環境などによって悪化する場合もあるが、アナログ電話の音質は一般に安定しているため、状況に応じて低料金のＩＰ電話よりも、安定した音質が期待されるアナログ電話に切り替えたい要望も存在すると考えられる。上記の実施の形態では、アナログ電話から低料金のＩＰ電話に切り替える例について説明したが、ＩＰ電話からアナログ電話に切り替える場合であっても、本発明の技術を利用できることは言うまでもない。
【００４３】
第３の実施の形態において、アナログ電話からＩＰ電話への切替と、ＩＰ電話からアナログ電話への切替の双方を想定した場合、アナログ電話用の回線からＩＰ電話用の回線への切替にかかる時間は、ＩＰ電話用の回線からアナログ電話用の回線への切替にかかる時間よりも短くてよい。これは、交換機１２を介するためにアナログ電話用の回線の接続確立が、ＩＰ電話用の回線の接続確立よりも時間を要するためである。したがって、回線の切替時間を両者で同一にする必要はなく、結果として、アナログ電話用回線からＩＰ電話用回線の切替時間を、ＩＰ電話用回線からアナログ電話用回線の切替時間よりも短くすることが可能である。
【００４４】
【発明の効果】
本発明によれば、アナログ電話とＩＰ電話の双方の機能をもつ通信端末装置がアナログ電話とＩＰ電話を効率よく活用できる技術を提供することができる。
【図面の簡単な説明】
【図１】本発明の実施の形態に係る通話システムの全体構成を示す図である。
【図２】通信端末装置の構成を示す図である。
【図３】格納部に記憶されるアナログ電話番号とＩＰ電話番号とを対応付けたリストを示す図である。
【図４】第１の実施の形態における管理サーバによるリストの作成処理のシーケンス図である。
【図５】第１の実施の形態における回線接続処理のシーケンス図である。
【図６】第２の実施の形態における通信端末装置のデータベースの作成処理のシーケンス図である。
【図７】第２の実施の形態における回線接続処理のフローチャートである。
【図８】第３の実施の形態における回線接続処理のシーケンス図である。
【符号の説明】
１・・・通話システム、１０・・・通信端末装置、１２・・・交換機、１４・・・アナログ回線網、１６・・・ＩＰネットワーク、１８・・・ゲートウェイ、２０・・・管理サーバ、３０・・・入力インタフェース部、３２・・・番号入力部、３４・・・要求受付部、３６・・・番号取得部、３８・・・読出制御部、４０・・・書込制御部、４２・・・格納部、４４・・・登録部、４６・・・照会部、４８・・・アナログ回線網インタフェース部、５０・・・回線設定部、５２・・・ＩＰネットワークインタフェース部。
【図１】
2004289678.tif 000003
【図２】
2004289678.tif 000004
【図３】
2004289678.tif 000005
【図４】
2004289678.tif 000006
【図５】
2004289678.tif 000007
【図６】
2004289678.tif 000008
【図７】
2004289678.tif 000009
【図８】
2004289678.tif 000010